(57)【特許請求の範囲】
【請求項１】
油膜回収機(A)と油膜濾過器(B)または排出タンク(B′)のユニットとから成り、油膜回収機(A)の枠形の機体(1)は水中ポンプ(2)と、これに連通する先に浮遊物取入口（51）を有する吸入筒(5)を斜め上方に向けて設け、機体(1)の周囲に複数のフロート(4)を設け、油膜濾過器(B)は、ボックス体(6)の中に不織布製の濾過シート(8)を挟んだかご体(7)を複数段の積み重ね、当該ボックス体(6)の外側面にオーバーフロータンク(9)を装着し、当該ボックス体と油膜回収機を連通管(10)で接続し、ボックス体下部に排水管(11)を具備したことを特徴とする浮遊物回収装置。
【請求項２】
機体(1)を環状枠体とし、且つ水中ポンプ(2)の下部に浮遊物取入口(51)をラッパ状に成形した吸入筒(5)を水面に対して上下方向に１０度から４０度程度に揺動できるように装着し、且つボックス体(6)内にかご体(7)を内外二重に重ねると共に、その間に濾過シート(8)を挟み込み、最下段のかご体に短冊状にカットした油吸着シート(8′)を充填した請求項１記載の浮遊物回収装置。
【発明の詳細な説明】
【技術分野】
【０００１】
本発明は、浮遊物回収装置に関するもので、主として池の表面に浮く油膜（主に藻粗由来）、スカム、落葉、小枝、アオコを効率的に回収し、水の富栄養化を抑制すると共に、スカム、落葉、小枝を回収し、池のへドロを徐々に減らすことを目的とする。
【背景技術】
【０００２】
一般に池や湖沼において、水面に浮かぶ浮遊物、すなわち油膜、スカム、落葉、小枝、アオコ等を回収するのに従来の回収装置は、吸引水路や汚水導入部が横向きであったり、吸引口が真上に向いていたりしてその吸引する口部を角度調整できるものがなく、装置全体が小型でありながら浮遊物を効率的に回収できる装置が存在しないのが現状であった。
【先行技術文献】
【特許文献】
【０００３】
【特許文献１】特開平１０−４５０８９号公報
【特許文献２】特開２０００−２４６０２４号公報
【特許文献３】実用新案登録第３１５３５５７号公報
【発明の概要】
【発明が解決しようとする課題】
【０００４】
上記の特許文献１は、水面浮遊物回収装置であり、目的は本発明と共通するが、その構成は、浮遊物の吸引水路が横向きであり、且つ回収装置の設置には、作業船を使用し、その作業船に搭載してあるウィンチでつり上げて行うものであり、全体が大型化している。
【０００５】
特許文献２は、浮遊物の繁殖した湖沼の汚水の濾過処理に用いる点は共通するが、汚水導入部が水平方向に固定して設けられているので、常に同一方向から汚水を導入することと、濾過体１を回転させる電動機Ｍが接地していることにより、フロートの内処理槽７も接地式になっている。
【０００６】
特許文献３は、浮遊物除去装置であり、水面における浮遊物の除去を安定して行えるようにしたことは共通するが、その浮遊物を吸引する吸引口８が真上に向いている構造である。
【課題を解決するための手段】
【０００７】
本発明は、従来の課題を解決するために、油膜やスカム、落葉、小枝、アオコ等の浮遊物を取入口から取り込むための吸入筒を斜めに上方に傾けることで吸い込む高さに許容を持たせることに成功し回収装置の安定性確保が可能になり吸込み効率がアップしたほか、フロートの最小配置が可能になり、小型化が図れるようにしたものである。
【０００８】
本発明の第１は、浮遊物回収装置において、油膜回収機と油膜濾過器のユニットとから成り、油膜回収機の枠形の機体の中央部に水中ポンプと、これに連通する先端に浮遊物取入口を有する吸入筒を斜め上方に上下動できるように向けて設け、機体の周囲に複数のフロートを設け、油膜濾過器は、ボックス体の中に不織布製の濾過シートを挟んだかご体を複数段に積み重ね、当該ボックス体の外側面にオーバーフロータンクを装着し、当該ボックス体と油膜回収機を連通管で接続し、ボックス体下部に排水管を具備したものである。
【０００９】
本発明の第２は、請求項１記載の浮遊物回収装置において、機体を環状枠とし、且つ水中ポンプの下部に先端取入口をラッパ状に成形した吸入筒を水面に対して上下方向に１０度から４０度程度に回動できるように装着し、且つボックス体内にかご体を内外二重に重ねると共にその間に不織布製の濾過シートを挟み込み、最下段のかご体に短冊状にカットした油吸着シートを充填したものである。
【発明の効果】
【００１０】
本発明は、上記の構成であるから、次のような効果がある。
第１に、油膜、スカム、落葉、小枝、アオコを回収する吸入筒を水面に対して１０度から４０度の範囲で傾斜させていることが最大の特長であり、水面の浮遊物を効率よく回収できる。
【００１１】
第２に、油膜濾過器内の最下段に短冊状の油吸着シートを充填してあることにより、油吸着効率を高めている。
【００１２】
第３に、スカムやアオコが異常に発生している場合、排水タンク（油膜濾過器から不織布製濾過シートを取り除き、排水ポンプを設置したもの）を使用し、排水タンクに溜めた水を下水道に放流することにより、確実に排水することができる。
【００１３】
一般の富栄養化した池の場合、スカムやアオコは濾過シートで回収し、油膜は油吸着シートに吸着させることができる。
【００１４】
第５に、不織布製の濾過シートおよび油吸着シートは洗浄して再利用することができる。
【００１５】
第６に、本発明に係る装置は、水深３０ｃｍ以上あれば浅い水中から、深い水中まで適用することができる。
【００１６】
第７に、請求項２の発明にあっては、池の汚れがひどく、濾過が間に合わない場合に使用し、水中ポンプで汲み上た池水を直接下水に流すことができる。
【図面の簡単な説明】
【００１７】
【図１】本発明に係る浮遊物回収装置を構成する油膜回収機と油膜濾過器の平面図である。
【図２】図１の油膜回収機の正面図である。
【図３】図１の油膜濾過器の正面図である。
【図４】図１の４−４線に沿う断面図である。
【図５】内外二重のかご体内に挟み込む不織布製の濾過シートの平面図である。
【図６】最下段のかご体に充填する短冊状の吸着シートの平面図である。
【図７】内外二重に重ねるかご体を分離した状態の正面図である。
【図８】図１の他の実施例を示すもので、排水タンクとして排水ポンプを設置した平面図である。
【図９】図８の油膜濾過器の正面図である。
【発明を実施するための形態】
【００１８】
本発明に係る浮遊物回収装置を実施するための形態は次のとおりである。すなわち、油膜回収機と油膜濾過器のユニットとで構成し、油膜回収機は、その環状枠の周囲に複数のフロートによって水面に浮かべ、機体の中央部に浮遊物の回収するための水中ポンプと、これに連通管で接続する先端の浮遊物の取入口を有する吸入筒を斜め上方に向けて設けられ、油膜濾過器には、ボックス体の中に内外二重の間に不織布製の濾過シートを挟み込んだかご体を複数段の積み重ね、最下段のかご体には、短冊状の吸着シートが充填されている。なお、油膜回収機及び油膜濾過器は、いずれも油膜だけに限らず、スカム、落葉、小枝、アオコ等の浮遊物を回収及び濾過の対象にするものである。
【実施例】
【００１９】
次に、本発明の実施例を説明する。図１において、１は油膜回収機Ａを構成する環状枠形の機体、２は油膜回収機Ａの枠体１内に設けた水中ポンプ、３は後述の吸入筒の傾斜角度調節用の伸縮式のステーである。４は環状枠形機体１の周囲に複数装着した球状のフロート、５は水中ポンプに連通する油膜等の浮遊物の取入れ用吸入筒であり、当該水中ポンプの下部に伸縮式のステー３を設け、これによって、１０度ないし４０度の範囲で傾斜角度θを上下方向に回動調整できるように接続してある。当該吸入筒５は、フレキシブルなホースになっていて、その先端の開口５1を油膜等の浮遊物が取り入れ易いようにラッパ状に成形してある。また、当該吸入筒５の先端部位が内外二重の筒形になって伸縮して長さ調節ができるようになっている。
【００２０】
図１及び図４において、油膜濾過器Ｂは、ボックス体６の中に収納する比較的浅底のかご体７（71〜7n）を多段に積み重ねてある。そして、各かご体は内外二重のかご体７′・７″の間にかご体の全体を覆う大きさ（例えば、長さＬ＝６０ｃｍ、幅Ｗ＝４０ｃｍ）の濾過シート８を挟み込んである。また、最下段のかご体７nには、短冊状（例えば、長さＬ′＝１５ｃｍ、幅Ｗ′＝１．５ｃｍ）の吸着シート８′を充填して逆さに向けて載置してある。図３において、９はボックス体６の外側面に装着したオーバーフロータンクである。９1・９2は排水ホースである。当該ボックス体６と油膜回収機Ａを連通管１０で接続し、ボックス体６の下部に排水管１１を具備してある。前記の連通管１０には、その長さに応じて適数のフロート１２を装着して当該連通管に浮力を与え、その他端をボックス体６の平面から内部に挿入してある。また、排水管１１はボックス体６の下部に他端を接続してある。図中、１３は水中ポンプ２の電源となる電源コード、１４は油膜濾過器Ｂのボックス体６内に設けたゴミかご体を示す。
【００２１】
図８及び図９は、図１の他の実施例であり、ボックス体６が排水タンクの役割を成し、当該排水タンク内において、連通管１０の吐出口の位置にゴミかご体１４′を設置してある。９はボックス体６の外側面に装着したオーバーフロータンクである。図中９1・９2は排水ホースである。そして、水中型の自動排水ポンプ２′に排水タンクの開口平面から内部に挿入して接続した排水管１１′で外部に排水するような構造になっている。図中１３′は電源コード、１５は、自動排水ポンプのスイッチを示す。
【００２２】
[具体的な使用例]
（１）図１〜図７において、本発明に係る浮遊物回収装置の使用例を説明する。油膜回収機Ａおよび油膜濾過器Ｂを台車に搭載して一人で目的の池まで運搬する。そして、油膜回収機Ａを水上に浮かべ、油膜濾過器Ｂは陸地に設置する。
（２）油膜回収機Ａの水中ポンプ２に電源コード１３を介して外部の電源に接続して通電する。
（３）上下方向の傾斜角度調節用伸縮式ステー３を介して浮遊物吸入筒５を水面に対して１０〜４０度の範囲で傾斜角度θを設定する。
（４）水中ポンプ２の電源オンにより、油膜回収機Ａは、水中を浮遊し、池に浮遊している油膜、スカム、落葉、小枝、アオコ等を吸入筒５に取り込む。
（５）取り込んだ浮遊物は、連通管１０を通じて油膜濾過器Ｂのボックス体６に池水と一緒に送り込まれる。
（６）ボックス体６に送り込まれた池水は、ゴミかご体１４で比較的大きい浮遊物を滞留しながら、多段に積み重ねられた各かご体ごとに挟み込まれた濾過シート８によって池水は濾過され、さらに最下段のかご体７n 内の短冊状吸着シート８′を通過しながら当該ボックス体下部の排水管１１を通じて外部に排水される。
（７）一方、ボックス体６内に送り込まれた浮遊物は、不織布製の濾過シート８や短冊状吸着シート８1によって吸着して二重かご体７1〜７3及び７nに溜まるから、ある程度滞留したら、当該濾過シート８や吸着シート８′を取り出して洗浄すれば、再度の使用が可能である。一方、落葉や小枝は、ゴミかご体１４に溜まるから、これを掬って、外部に廃棄する。
【００２３】
また、図８及び図９のボックス体６は、排水タンクとして使用するもので、この場合は、二重かご体７1〜７3及び７nは収容していないから、連通管１０からボックス体６内に入った池水がゴミかご体１４′を通過した後は、自動排水スイッチ１５がオンして水中型の排水ポンプ２′で外部に排水される。
そして、ボックス体６に送り込まれた池水があふれた場合は、オーバーフロータンク９に流れ込み、排水ホース９1・９2を介して外部に排水される。
【産業上の利用可能性】
【００２４】
本発明は、装置全体が小型でありながら、池のほか、比較的広い湖や沼などにも水深が３０ｃｍ以上あれば、適用することが可能である。また、オプションでタイマーを油膜回収機にセットすることで、自動運転が可能になる。
【符号の説明】
【００２５】
１…枠形の機体
２…水中ポンプ
２′…排水ポンプ
３…角度調節用伸縮式ステー
４…球状フロート
５…浮遊物吸入筒
６…ボックス体
６′…ボックス体（排水タンク）
７…かご体
８…不織布製の濾過シート
８′…短冊形吸着紙
９…オーバーフロータンク
９1…排水ホース
９2…排水ホース
１０…連通管
１１…排水管
１１′…排水管
１２…連通管のフロート
１３…電源コード
１３′…電源コード
１４…ゴミかご体
１４′…ゴミかご体
１５…排水ポンプの自動スイッチ
Ａ…油膜回収機
Ｂ…油膜濾過器
【図１】
0006391559.tif 000002
【図２】
0006391559.tif 000003
【図３】
0006391559.tif 000004
【図４】
0006391559.tif 000005
【図５】
0006391559.tif 000006
【図６】
0006391559.tif 000007
【図７】
0006391559.tif 000008
【図８】
0006391559.tif 000009
【図９】
0006391559.tif 000010